【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有し、該空間部によって、前記清掃部材が被掃除面から掻き出した塵埃の逃げ場が確保されると共に、前記清掃部材のしなり性を向上させたことを特徴とする清掃体。
【請求項２】
略筒状に形成された基部と、被掃除面の塵埃を除去するブラシ状の複数の清掃部材から形成され、前記複数の清掃部材が前記基部の外方に突出するように且つ帯状に配され、前記複数の清掃部材間の周辺部に形成された空間部を有し、該空間部によって、前記複数の清掃部材が被掃除面から掻き出した塵埃の逃げ場が確保されると共に、前記複数の清掃部材のしなり性を向上させたことを特徴とする清掃体。
【請求項３】
基部の長手方向に、少なくとも１条の清掃部材を、略直線状に配したことを特徴とする請求項１又は２に記載の清掃体。
【請求項４】
基部の長手方向に、少なくとも１条の清掃部材を、螺旋状に配したことを特徴とする請求項１〜３のいずれか１項に記載の清掃体。
【請求項５】
基部に、外方への突出代の異なる清掃部材を複数配したことを特徴とする請求項１〜４のいずれか１項に記載の清掃体。
【請求項６】
基部に、硬さ又は撓み性が異なる清掃部材を交互に複数配したことを特徴とする請求項１〜５のいずれか１項に記載の清掃体。
【請求項７】
清掃部材を、その略中央部が両端部より反回転方向側に先行するように略Ｖ字状に配したことを特徴とする請求項１、２及び４〜６のいずれか１項に記載の清掃体。
【請求項８】
清掃部材の隣に、ブレード状の第２の清掃部材を配したことを特徴とする請求項１〜７のいずれか１項に記載の清掃体。
【請求項９】
清掃部材として、波毛を用いたことを特徴とする請求項１〜８のいずれか１項に記載の清掃体。
【請求項１０】
基部の素材は、所定の温度で、熱収縮することを特徴とする請求項1〜９のいずれか１項に記載の清掃体。
【請求項１１】
基材表面に清掃部材を形成した平板状部材を筒状にし、その側面同士を密着、又は重ね合わせて、接着、溶着、縫合等で接合して基部を形成することを特徴とする請求項１〜１０のいずれか１項に記載の清掃体。
【請求項１２】
基材表面に清掃部材を形成した一定巾を有する帯状部材を、一定の内径寸法を保ちながら螺旋状に巻回し、隣り合う前記帯状部材の側面同士を密着、又は重ね合わせて接着、溶着、縫合等で接合して略筒状の基部を形成することを特徴とする請求項１〜１０のいずれか１項に記載の清掃体。
【請求項１３】
機器に回転自在に取着される略棒状のロータに、請求項１〜１２のいずれか１項に記載の清掃体を被せて構成したことを特徴とする回転清掃体。
【請求項１４】
ロータの外周面に、清掃体の基部を密接させながら外挿することを特徴とする請求項１３に記載の回転清掃体。
【請求項１５】
ロータは中空状の金属パイプより構成したことを特徴とする請求項１３又１４に記載の回転清掃体。
【請求項１６】
ロータの表面を、凹凸形状としたことを特徴とする請求項１３〜１５のいずれか１項に記載の回転清掃体。
【請求項１７】
ロータの断面を多角形状としたことを特徴とする請求項１３〜１６のいずれか１項に記載の回転清掃体。
【請求項１８】
請求項１３〜１７のいずれか１項に記載の回転清掃体を回転自在に備えた掃除機用吸込具。
【請求項１９】
請求項１８に記載の掃除機用吸込具を備えた電気掃除機。
【請求項２０】
室内熱交換器と、前記室内熱交換器の上流側に配され、前記室内熱交換器を通過する空気に含まれる塵埃を捕捉するエアーフィルタと、請求項１３〜１７のいずれか１項に記載の回転清掃体とを備え、前記回転清掃体で、前記エアーフィルタに付着した塵埃を除去することを特徴とする空気調和機。
【手続補正２】
【補正対象書類名】明細書
【補正対象項目名】００１１
【補正方法】変更
【補正の内容】
【００１１】
前記従来の課題を解決するために、本発明の清掃体は、略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有し、該空間部によって、前記清掃部材が被掃除面から掻き出した塵埃の逃げ場が確保されると共に、前記清掃部材のしなり性を向上させたことを特徴とするもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材の周辺部に形成された空間部や清掃部材で囲まれた空間部により、清掃部材で被掃除面から掻き出された塵埃の逃げ場が確保されると共に、清掃部材のしなり性が向上するので、塵埃掻き上げ性能、塵埃除去性能が向上する。
【手続補正３】
【補正対象書類名】明細書
【補正対象項目名】００１３
【補正方法】変更
【補正の内容】
【００１３】
第１の発明は、略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有し、該空間部によって、前記清掃部材が被掃除面から掻き出した塵埃の逃げ場が確保されると共に、前記清掃部材のしなり性を向上させたことを特徴とするもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材の周辺部に形成された空間部や清掃部材で囲まれた空間部により、清掃部材で被掃除面から掻き出された塵埃の逃げ場が確保されると共に、清掃部材のしなり性が向上するので、塵埃掻き上げ性能、塵埃除去性能が向上する。
【手続補正４】
【補正対象書類名】明細書
【補正対象項目名】００１４
【補正方法】変更
【補正の内容】
【００１４】
第２の発明は、略筒状に形成された基部と、被掃除面の塵埃を除去するブラシ状の複数の清掃部材から形成され、前記複数の清掃部材が前記基部の外方に突出するように且つ帯状に配され、前記複数の清掃部材間の周辺部に形成された空間部を有し、該空間部によって、前記複数の清掃部材が被掃除面から掻き出した塵埃の逃げ場が確保されると共に、前記複数の清掃部材のしなり性を向上させたことを特徴とするもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材が前記基部の外方に突出するように且つ帯状に配されているので、清掃部材の周辺に空間部が形成され、清掃部材で被掃除面から掻き出された塵埃の逃げ場が確保されると共に、清掃部材のしなり性が向上するので、塵埃掻き上げ性能、塵埃除去性能が向上する。